(57)【要約】【課題】  測定対象物が発熱して溶解するという不具合がなく、精度良く接触抵抗を測定する。【解決手段】  コンデンサ２２に充電した電荷により放電回路２０に通電し、電圧検出用アナログ積分回路６１により測定対象抵抗Ａの両端電圧Ｖin１を時間積分し、電流検出用アナログ積分回路６２により標準抵抗２１の両端電圧Ｖin２を時間積分する。アナログ除算回路７０は、両端電圧Ｖin１の積分値を両端電圧Ｖin２の積分値で除算した値に相当する電圧Ｖdivをホールド回路８０に出力する。ホールド回路８０の出力電圧Ｖholdは、測定対象抵抗Ａの抵抗値Ｒｘと相関関係を有する電圧となるため、この電圧を測定して抵抗値Ｒｘを求める。【選択図】  図１
2010164358.tif 000002
【特許請求の範囲】
【請求項１】
導体同士を接触させた接触部を測定対象抵抗として、前記測定対象抵抗の電気抵抗を測定する抵抗測定装置において、
コンデンサを充電する充電手段と、
前記充電されたコンデンサを前記測定対象抵抗に接続して、前記コンデンサからの放電により前記測定対象抵抗に電流を流す通電手段と、
前記測定対象抵抗に電流が流れている間における、前記測定対象抵抗の両端の電圧を時間積分した値に相当する電圧積分相当値と、前記測定対象抵抗に流れる電流を時間積分した値に相当する電流積分相当値とを出力する積分値出力手段と、
前記電圧積分相当値を前記電流積分相当値で徐算して前記測定対象抵抗の電気抵抗値に相当する値を出力する抵抗値出力手段と
を備えたことを特徴とする抵抗測定装置。
【請求項２】
前記通電手段は、電気抵抗値が既知である標準抵抗を前記測定対象抵抗に直列接続した放電回路に前記コンデンサの電荷を放電させ、
前記積分値出力手段は、前記測定対象抵抗の両端の電圧を入力し、入力した電圧を時間積分した値に相当する電圧を出力する電圧検出用アナログ積分回路と、前記標準抵抗の両端の電圧を入力し、入力した電圧を時間積分した値に相当する電圧を出力する電流検出用アナログ積分回路とを備え、
前記抵抗値出力手段は、前記電圧検出用アナログ積分回路により出力された電圧を、前記電流検出用アナログ積分回路により出力された電圧で徐算した値に相当する値を出力することを特徴とする請求項１記載の抵抗測定装置。
【請求項３】
前記抵抗値出力手段は、
前記電圧検出用アナログ積分回路により出力された電圧を、前記電流検出用アナログ積分回路により出力された電圧で徐算した値に相当する電圧を出力するアナログ徐算回路と、
前記アナログ徐算回路が出力する電圧をデジタル値に変換し電圧波形を作成して表示する波形表示装置と
を備えたことを特徴とする請求項２記載の抵抗測定装置。
【請求項４】
前記抵抗値出力手段は、
前記電圧検出用アナログ積分回路により出力された電圧を、前記電流検出用アナログ積分回路により出力された電圧で徐算した値に相当する電圧を出力するアナログ徐算回路と、
前記アナログ徐算回路が出力する電圧をホールドするホールド回路と、
前記ホールド回路が前記アナログ徐算回路の出力電圧をホールドするタイミングを、前記測定対象抵抗への通電開始から所定時間後に設定するホールド制御回路と、
前記ホールド回路が出力するホールド電圧を測定する電圧測定器と
を備えたことを特徴とする請求項２記載の抵抗測定装置。
【請求項５】
前記充電手段は、前記コンデンサに電圧を印加して前記コンデンサを充電する電源と、前記コンデンサの充電を開始させるための操作部とを備え、
前記通電手段は、前記コンデンサの充電が開始されてから所定時間経過後に、前記コンデンサの充電を終了させ、前記コンデンサに充電された電荷の放電を開始させる充放電制御回路を備えたことを特徴とする請求項４記載の抵抗測定装置。
【請求項６】
前記通電手段は、電気抵抗値が既知である標準抵抗を前記測定対象抵抗に直列接続した放電回路に前記コンデンサの電荷を放電させ、
前記積分値出力手段は、前記測定対象抵抗の両端の電圧を入力し、入力した電圧を所定時間間隔でデジタル値に変換して出力する電圧検出用アナログ／デジタル変換器と、前記標準抵抗の両端の電圧を入力し、入力した電圧を所定時間間隔でデジタル値に変換して出力する電流検出用アナログ／デジタル変換器とを備え、
前記抵抗値出力手段は、前記電圧検出用アナログ／デジタル変換器より出力されたデジタル値を積算した積算値を、前記電流検出用アナログ／デジタル変換器により出力されたデジタル値を積算した積算値で徐算した値に基づいて前記測定対象抵抗の電気抵抗値に相当する値を算出することを特徴とする請求項１記載の抵抗測定装置。
【請求項７】
分電盤に設けられた導電バー同士を重ねて連結した連結部を前記測定対象抵抗としたことを特徴とする請求項１ないし請求項６の何れか一項記載の抵抗測定装置。
【請求項８】
導体同士を接触させた接触部を測定対象抵抗として、前記測定対象抵抗の電気抵抗を測定する抵抗測定方法において、
コンデンサを充電する充電ステップと、
前記充電されたコンデンサを前記測定対象抵抗に接続して、前記コンデンサからの放電により前記測定対象抵抗に電流を流す通電ステップと、
前記測定対象抵抗に電流が流れている間における、前記測定対象抵抗の両端の電圧を時間積分した値に相当する電圧積分相当値と、前記測定対象抵抗に流れる電流を時間積分した値に相当する電流積分相当値とを出力する積分値出力ステップと、
前記電圧積分相当値を前記電流積分相当値で徐算して前記測定対象抵抗の電気抵抗値に相当する値を出力する抵抗値出力ステップと
を含むことを特徴とする抵抗測定方法。
【請求項９】
前記通電ステップは、電気抵抗値が既知である標準抵抗を前記測定対象抵抗に直列接続した放電回路に前記コンデンサの電荷を放電させ、
前記積分値出力ステップは、電圧検出用アナログ積分回路に前記測定対象抵抗の両端の電圧を入力し、入力した電圧を時間積分した値に相当する電圧を出力するとともに、電流検出用アナログ積分回路に前記標準抵抗の両端の電圧を入力し、入力した電圧を時間積分した値に相当する電圧を出力し、
前記抵抗値出力ステップは、前記電圧検出用アナログ積分回路により出力された電圧を、前記電流検出用アナログ積分回路により出力された電圧で徐算した値に相当する値を出力することを特徴とする請求項８記載の抵抗測定方法。
【請求項１０】
前記抵抗値出力ステップは、
アナログ徐算回路により、前記電圧検出用アナログ積分回路により出力された電圧を、前記電流検出用アナログ積分回路により出力された電圧で徐算した値に相当する電圧を出力し、
前記アナログ徐算回路が出力する電圧を波形表示装置によりデジタル値に変換して電圧波形を作成して表示することを特徴とする請求項９記載の抵抗測定方法。
【請求項１１】
前記抵抗値出力ステップは、
アナログ徐算回路により、前記電圧検出用アナログ積分回路により出力された電圧を、前記電流検出用アナログ積分回路により出力された電圧で徐算した値に相当する電圧を出力し、
前記測定対象抵抗への通電開始から所定時間後に前記アナログ徐算回路が出力する電圧をホールド回路によりホールドし、
前記ホールド回路が出力するホールド電圧を電圧測定器により測定することを特徴とする請求項９記載の抵抗測定方法。
【請求項１２】
前記充電ステップは、操作部の操作入力により電源と前記コンデンサとを接続して前記コンデンサの充電を開始させ、
前記通電ステップは、充放電制御回路により、前記コンデンサの充電が開始されてから所定時間経過後に、前記コンデンサの充電を終了させ、前記コンデンサに充電された電荷の放電を開始させることを特徴とする請求項１１記載の抵抗測定方法。
【請求項１３】
前記通電ステップは、電気抵抗値が既知である標準抵抗を前記測定対象抵抗に直列接続した放電回路に前記コンデンサの電荷を放電させ、
前記積分値出力ステップは、電圧検出用アナログ／デジタル変換器に前記測定対象抵抗の両端の電圧を入力し、入力した電圧を所定時間間隔でデジタル値に変換して出力するとともに、電流検出用アナログ／デジタル変換器に前記標準抵抗の両端の電圧を入力し、入力した電圧を所定時間間隔でデジタル値に変換して出力し、
前記抵抗値出力ステップは、前記電圧検出用アナログ／デジタル変換器より出力されたデジタル値を積算した積算値を、前記電流検出用アナログ／デジタル変換器により出力されたデジタル値を積算した積算値で徐算した値に基づいて前記測定対象抵抗の電気抵抗値に相当する値を算出することを特徴とする請求項８記載の抵抗測定方法。
【請求項１４】
分電盤に設けられた導電バー同士を重ねて連結した連結部を前記測定対象抵抗としたことを特徴とする請求項８ないし請求項１３の何れか一項記載の抵抗測定方法。
【発明の詳細な説明】
【技術分野】
【０００１】
本発明は、導体同士を接触させた接触部における電気抵抗を測定する抵抗測定装置、および、抵抗測定方法に関する。
【背景技術】
【０００２】
従来から、プラグイン式の分電盤においては、主幹ブレーカと複数の分岐ブレーカとが導電バーにより連結されているものが多い。導電バーは、銅製の断面長方形の帯状体であって、分岐母性銅バー、アースバー、渡りバー、接続バーなど複数種類ある。こうした導電バーは、複数連結して使用される。一般に、導電バーは、その板面を互いに重ね合わせてボルト締結により連結される。導電バーのボルト締結状態が悪いと、連結部（接触部）における接触抵抗が大きくなり、大電流を流したときに連結部が発熱して事故が発生するおそれがある。従って、分電盤の点検時においては、連結部における接触抵抗を測定する必要がある。
【０００３】
接触抵抗を測定する装置としては、例えば、特許文献１に提案されている。この接触抵抗測定装置は、導体の接触部に測定用電流を通電し、接触部の両端に生じる電圧をＡ／Ｄ変換器に入力してデジタル値に変換する。そして、こうした電圧測定を一定時間内に複数回繰り返し、得られた電圧値を平均化して平均電圧値を求め、平均電圧値を測定用電流の値で除算して接触抵抗値を算出する。
【先行技術文献】
【特許文献】
【０００４】
【特許文献１】特開平８−１１４６３４号公報
【発明の概要】
【０００５】
しかしながら、特許文献１に提案された方法で導電バーの連結部の接触抵抗を測定しようとすると、連結部の抵抗値が非常に小さいことから、連結部の両端電圧を測定するためには大電流を一定時間流す必要がある。このため、通電により連結部が発熱して溶解する危険性が高いという不具合が生じる。
【０００６】
本発明は、上記問題に対処するためになされたもので、測定対象物が発熱して溶解する危険性が高いという不具合がなく、精度良く接触抵抗を測定すること目的とする。
【０００７】
上記目的を達成するために、本発明の抵抗測定装置の特徴は、導体同士を接触させた接触部を測定対象抵抗として、前記測定対象抵抗の電気抵抗を測定する抵抗測定装置において、コンデンサを充電する充電手段と、前記充電されたコンデンサを前記測定対象抵抗に接続して、前記コンデンサからの放電により前記測定対象抵抗に電流を流す通電手段と、前記測定対象抵抗に電流が流れている間における、前記測定対象抵抗の両端の電圧を時間積分した値に相当する電圧積分相当値と、前記測定対象抵抗に流れる電流を時間積分した値に相当する電流積分相当値とを出力する積分値出力手段と、前記電圧積分相当値を前記電流積分相当値で徐算して前記測定対象抵抗の電気抵抗値に相当する値を出力する抵抗値出力手段とを備えたことにある。
【０００８】
本発明によれば、通電手段が、コンデンサに充電した電荷を使って測定対象抵抗に通電し、積分値出力手段が、測定対象抵抗に電流が流れている間における測定対象抵抗の両端の電圧を時間積分した値に相当する電圧積分相当値と、測定対象抵抗に流れる電流を時間積分した値に相当する電流積分相当値とを出力する。そして、抵抗値出力手段が、電圧積分相当値を電流積分相当値で徐算して測定対象抵抗の電気抵抗値に相当する値を出力する。測定対象抵抗の電気抵抗値に相当する値とは、測定対象抵抗の電気抵抗値と対応関係のある値を意味するもので、デジタル値で出力してもよいし、電圧等のアナログ値で出力してもよい。
【０００９】
この場合、測定対象抵抗は、コンデンサに充電した電荷により通電されるため、大電流が流れるのは一瞬であり発熱しない。また、電気抵抗値の計算にあたっては、コンデンサの電荷が放出されるまでの期間における、電圧積分相当値と電流積分相当値とに基づいて行い、瞬時的な測定値を採用しないため、接触抵抗を精度良く測定することができる。
【００１０】
また、本発明の抵抗測定装置の他の特徴は、前記通電手段は、電気抵抗値が既知である標準抵抗を前記測定対象抵抗に直列接続した放電回路に前記コンデンサの電荷を放電させ、前記積分値出力手段は、前記測定対象抵抗の両端の電圧を入力し、入力した電圧を時間積分した値に相当する電圧を出力する電圧検出用アナログ積分回路と、前記標準抵抗の両端の電圧を入力し、入力した電圧を時間積分した値に相当する電圧を出力する電流検出用アナログ積分回路とを備え、前記抵抗値出力手段は、前記電圧検出用アナログ積分回路により出力された電圧を、前記電流検出用アナログ積分回路により出力された電圧で徐算した値に相当する値を出力することにある。
【００１１】
本発明によれば、電気抵抗値が既知である標準抵抗（シャント抵抗）を測定対象抵抗に直列接続した放電回路にコンデンサの電荷を放電させる。従って、測定対象抵抗に流れる電流値は、標準抵抗に流れる電流値と等しく、標準抵抗の両端の電圧に比例した値となる。従って、標準抵抗の両端の電圧を入力し、入力した電圧を時間積分した値は、測定対象抵抗に流れる電流値を時間積分した値と比例関係を有する。このため、電流積分相当値を簡単に求めることができる。また、アナログ積分回路を使って接触抵抗を測定するため、低コストにて装置を構成することができる。
【００１２】
また、本発明の抵抗測定装置の他の特徴は、前記抵抗値出力手段は、前記電圧検出用アナログ積分回路により出力された電圧を、前記電流検出用アナログ積分回路により出力された電圧で徐算した値に相当する電圧を出力するアナログ徐算回路と、前記アナログ徐算回路が出力する電圧をデジタル値に変換し電圧波形を作成して表示する波形表示装置とを備えたことにある。
【００１３】
本発明によれば、波形表示装置により、アナログ徐算回路が出力する電圧をデジタル値に変換し電圧波形を作成して表示するため、測定者は、表示波形を見て接触抵抗を高精度に測定することができる。例えば、波形表示装置としてデジタルオシロスコープを使用するとよい。この場合、アナログ除算回路にデジタルオシロスコープの信号入力ケーブルが接続可能な出力端子を設ければ、既存のデジタルオシロスコープを接続して使用することができるため低コスト化を図ることができ、また、抵抗測定装置をコンパクトにすることができる。
【００１４】
また、本発明の抵抗測定装置の他の特徴は、前記抵抗値出力手段は、前記電圧検出用アナログ積分回路により出力された電圧を、前記電流検出用アナログ積分回路により出力された電圧で徐算した値に相当する電圧を出力するアナログ徐算回路と、前記アナログ徐算回路が出力する電圧をホールドするホールド回路と、前記ホールド回路が前記アナログ徐算回路の出力電圧をホールドするタイミングを、前記測定対象抵抗への通電開始から所定時間後に設定するホールド制御回路と、前記ホールド回路が出力するホールド電圧を測定する電圧測定器とを備えたことにある。
【００１５】
本発明によれば、アナログ徐算回路が出力する電圧を、測定対象抵抗への通電開始から所定時間後にホールド回路がホールドし、このホールド電圧を電圧測定器により測定する。従って、適正なタイミングにおいてアナログ除算回路の出力電圧を測定することができる。この結果、接触抵抗を高精度に、かつ、容易に測定することができる。また、ホールド回路に電圧測定器の接続可能な出力端子を設ければ、既存の電圧測定器（電圧計、マルチメータなど）を使用することができるため低コスト化を図ることができ、また、抵抗測定装置をコンパクトにすることができる。
【００１６】
また、本発明の抵抗測定装置の特徴は、前記充電手段は、前記コンデンサに電圧を印加して前記コンデンサを充電する電源と、前記コンデンサの充電を開始させるための操作部とを備え、前記通電手段は、前記コンデンサの充電が開始されてから所定時間経過後に、前記コンデンサの充電を終了させ、前記コンデンサに充電された電荷の放電を開始させる充放電制御回路を備えたことにある。
【００１７】
本発明によれば、測定者が操作部を操作することによりコンデンサに電源が接続されてコンデンサの充電が開始される。そして、充放電制御回路が、コンデンサの充電開始から所定時間経過後にコンデンサの充電を終了させ、その後、コンデンサに充電された電荷を放電回路に放電させる。また、ホールド回路は、コンデンサからの放電が開始されてから所定時間経過後にアナログ徐算回路の出力電圧をホールドする。従って、操作部の１回の操作入力により接触抵抗を測定することができ、効率のよい測定が可能となる。
【００１８】
本発明の抵抗測定装置の他の特徴は、前記通電手段は、電気抵抗値が既知である標準抵抗を前記測定対象抵抗に直列接続した放電回路に前記コンデンサの電荷を放電させ、前記積分値出力手段は、前記測定対象抵抗の両端の電圧を入力し、入力した電圧を所定時間間隔でデジタル値に変換して出力する電圧検出用アナログ／デジタル変換器と、前記標準抵抗の両端の電圧を入力し、入力した電圧を所定時間間隔でデジタル値に変換して出力する電流検出用アナログ／デジタル変換器とを備え、前記抵抗値出力手段は、前記電圧検出用アナログ／デジタル変換器より出力されたデジタル値を積算した積算値を、前記電流検出用アナログ／デジタル変換器により出力されたデジタル値を積算した積算値で徐算した値に基づいて前記測定対象抵抗の電気抵抗値に相当する値を算出することにある。
【００１９】
本発明によれば、測定対象抵抗の両端の電圧を所定時間間隔でデジタル値に変換して積算した積算値を、標準抵抗の両端の電圧を所定時間間隔でデジタル値に変換して積算した積算値で除算した値に基づいて測定対象抵抗の抵抗値に相当する値を算出する。このため、既存のアナログ／デジタル変換器やパソコン等のデジタル計算機を使用することが可能となり、低コストにて装置を構成することができる。
【００２０】
本発明の抵抗測定装置の他の特徴は、分電盤に設けられた導電バー同士を重ねて連結した連結部を前記測定対象抵抗としたことにある。
【００２１】
本発明によれば、接触抵抗の非常に小さな導電バーの連結部における接触抵抗の測定を良好に行うことができる。また、抵抗測定時に導電バーを発熱させることがない。この結果、分電盤の点検を良好に行うことができる。
【００２２】
更に、本発明の実施にあたっては、抵抗測定装置の発明に限定されることなく、抵抗測定方法の発明としても実施し得るものである。
【図面の簡単な説明】
【００２３】
【図１】実施形態に係る抵抗測定装置の概略回路構成図である。
【図２】抵抗測定対象となる導電バーの連結部の断面図である。
【図３】アナログ積分回路の回路図である。
【図４】アナログ除算回路の回路図である。
【図５】ホールド回路の回路図である。
【図６】通電時における電圧波形を表し、（ａ）は測定対象抵抗の両端電圧波形、（ｂ）はアナログ積分回路の出力電圧波形、（ｃ）はアナログ除算回路の出力電圧波形、（ｄ）はホールド回路の出力電圧波形である。
【図７】ホールド回路の出力電圧と抵抗値Ｒｘとの関係を表すグラフである。
【図８】第１変形例に係る抵抗測定装置の概略回路構成図である。
【図９】第２変形例に係る抵抗測定装置の概略回路構成図である。
【発明を実施するための形態】
【００２４】
以下、本発明の一実施形態について図面を用いて説明する。図１は、実施形態に係る抵抗測定装置の概略回路構成を表す。
【００２５】
分電盤においては、主幹ブレーカと複数の分岐ブレーカとが導電バーにより連結されて設けられる。この導電バーは、銅製の断面長方形の帯状体であって、複数連結して使用される。図２は、測定対象抵抗となる導電バーＢ１，Ｂ２の連結部Ａを表す。２枚の導電バーＢ１，Ｂ２は、その端部にボルト挿通孔ｈ１，ｈ２が設けられており、互いにボルト挿通孔ｈ１，ｈ２を整合し板面を重ねあわせた状態でボルト挿通孔ｈ１，ｈ２にボルトＣが挿通される。このボルトＣは、絶縁基台Ｄに形成されたボルト挿通孔ｈ３に挿通され、絶縁基台Ｄ裏面に嵌められたナットＥに螺合される。従って、ボルトＣを締め込むことで２枚の導電バーＢ１，Ｂ２は、その板面が強く密着して連結され絶縁基台Ｄに固定される。このように導電バーＢ１，Ｂ２の板面が強く密着して連結されている場合には、接触抵抗（連結部Ａの抵抗）は非常に小さい。しかし、ボルトＣの締め付け不良が発生すると接触抵抗が大きくなり、大電流を流したときに連結部Ａが発熱して事故が発生するおそれがある。そこで、本実施形態の抵抗測定装置１０は、この連結部Ａの両端にプローブＰ１，Ｐ２，Ｐ３，Ｐ４をセットして連結部Ａの接触抵抗を測定する。以下、連結部Ａを測定対象抵抗Ａと呼ぶ。
【００２６】
抵抗測定装置１０は、図１に示すように、測定対象抵抗Ａと直列に接続され電気抵抗値が既知である標準抵抗２１と、測定対象抵抗Ａと標準抵抗２１との直列回路に対して電荷を放電して電流を流すコンデンサ２２と、コンデンサ２２の放電路を開閉する放電路スイッチ２３とからなる放電回路２０を備えている。また、コンデンサ２２の両極には、コンデンサ２２を充電するための充電用電源３１と、コンデンサ２２の充電路を開閉する充電路スイッチ３２とからなる充電回路３０が接続されている。放電路スイッチ２３および充電路スイッチ３２は、信号を入力している間のみ接点を閉じるノーマルオープンスイッチで構成されている。
【００２７】
抵抗測定装置１０は、主電源４０と、主電源４０の電源供給路を開閉する操作スイッチ４１とを備えている。操作スイッチ４１は、抵抗測定の開始および終了を指示する操作部として機能する。放電路スイッチ２３は、その信号端子が第１遅延回路５１、操作スイッチ４１を介して主電源４０に接続されている。第１遅延回路５１は、操作スイッチ４１がオン操作されてから第１設定時間経過したときに信号を出力するよう構成されている。
【００２８】
また、充電路スイッチ３２は、その信号端子の一方が充電終了用スイッチ４２を介して主電源４０の正極に接続され、信号端子の他方が操作スイッチ４１を介して主電源４０の負極に接続される。充電終了用スイッチ４２は、信号を入力している間のみ接点を開くノーマルクローズスイッチであり、その信号を第１遅延回路５１から入力するように構成されている。従って、充電終了用スイッチ４２は、操作スイッチ４１がオン操作されたときにはオン状態であり、操作スイッチ４１のオン操作から第１設定時間経過後にオフ状態に切り替わる。このため、充電路スイッチ３２は、操作スイッチ４１のオン操作と同時にオン状態となり、第１設定時間経過後にオフ状態に切り替わる。
【００２９】
従って、測定者が操作スイッチ４１をオンすると、充電路スイッチ３２がオン状態となり充電用電源３１の電圧がコンデンサ２２に印加される。これにより、コンデンサ２２の内部に電荷が蓄積される。つまり、コンデンサ２２が充電される。そして、操作スイッチ４１のオン操作から第１設定時間が経過すると、充電路スイッチ３２がオフ状態に切り替わってコンデンサ２２の充電が終了すると同時に、放電路スイッチ２３がオン状態に切り替わる。従って、コンデンサ２２に充電された電荷により放電回路２０に電流が流れる。これにより測定対象抵抗Ａおよび標準抵抗２１には、その両端において電位差が発生する。
【００３０】
尚、第１遅延回路５１は、充電用電源３１によるコンデンサ２２の充電期間を設定するものであるため、第１設定時間は、抵抗測定に適した電流をコンデンサ２２から放電回路２０に流すことができる放電量の確保に必要な充電時間相当の時間に設定される。
【００３１】
測定対象抵抗Ａの両端には、電圧検出用アナログ積分回路６１が接続される。標準抵抗２１の両端には、電流検出用アナログ積分回路６２が接続される。各アナログ積分回路６１，６２は、どちらも、図３に示すように、オペアンプ６３と抵抗６４とコンデンサ６５とから構成される。各アナログ積分回路６１，６２に入力される電圧は、コンデンサ２２に溜まった電荷が放電回路２０に流れるときに発生するものであるため、図６（ａ）に示すように、１／ｅｔの関数で表されるカーブを描く。本実施形態においては、コンデンサ２２の放電は、例えば、１ミリ秒程度で終了する。
【００３２】
電圧検出用アナログ積分回路６１は、測定対象抵抗Ａの両端電圧Ｖin１を入力し、入力した電圧Ｖin１を時間で積分した値に相当する電圧Ｖout１を出力する。この場合、入力電圧Ｖin１に対して出力電圧Ｖout１は次式のように表される。
Ｖout１＝（−１／ＲＣ）∫Ｖin１ｄｔ
【００３３】
同様に、電流検出用アナログ積分回路６２は、標準抵抗２１の両端電圧Ｖin２を入力し、入力した電圧Ｖin２を時間で積分した値に相当する電圧Ｖout２を出力する。この場合、入力電圧Ｖin２に対して出力電圧Ｖout２は次式のように表される。
Ｖout２＝（−１／ＲＣ）∫Ｖin２ｄｔ
電流検出用アナログ積分回路６２の出力電圧Ｖout２は、標準抵抗２１の電気抵抗値（以下、単に抵抗値と呼ぶ）が既知であるため、放電回路２０に流れる電流の積分値に相当する（放電回路２０に流れる電流の積分値と対応関係を有する）ものとなる。
【００３４】
各アナログ積分回路６１，６２には、回路内のコンデンサ６５の電荷を放電させる放電スイッチ６６が備えられている。この放電スイッチ６６は、信号を入力している間のみ接点を開くノーマルクローズスイッチで構成される。放電スイッチ６６は、操作スイッチ４１を介して主電源４０から信号を入力するため、操作スイッチ４１がオフしているときに接点が閉じてコンデンサ６５に溜まっている電荷を放出する。そして、操作スイッチ４１がオンされると、接点を開いてコンデンサ６５を充電可能状態にする。従って、放電スイッチ６６は、抵抗測定開始時における各アナログ積分回路６１，６２の積算値をゼロクリアしておくものである。
【００３５】
各アナログ積分回路６１，６２から出力される電圧Ｖout１，Ｖout２は、図６（ａ）の波形を積分したものとなるため、図６（ｂ）に示すように、（１−（１／ｅｔ））の関数で表されるカーブを描く。
【００３６】
各アナログ積分回路６１，６２の出力電圧Ｖout１，Ｖout２は、アナログ除算回路７０に入力される。アナログ除算回路７０は、図４に示すように、トランジスタの対数特性を使用した第１ログ回路７１、第２ログ回路７２と、オペアンプ７３ａを使用した減算回路７３（差動増幅回路で増幅がない回路）と、トランジスタの対数特性を使用したアンチログ回路７４から構成される。第１ログ回路７１は、電圧検出用アナログ積分回路６１の出力電圧Ｖout１を入力し対数に相当する電圧に変換する。第２ログ回路７２は、電流検出用アナログ積分回路６２の出力電圧Ｖout２を入力し対数に相当する電圧に変換する。減算回路７３は、第１ログ回路７１の出力電圧と第２ログ回路７２の出力電圧との差に相当する電圧をアンチログ回路７４に出力する。アンチログ回路７４は、減算回路７３の出力電圧を指数に相当する電圧に変換する。これにより、アナログ除算回路７０は、電圧検出用アナログ積分回路６１の出力電圧Ｖout１を、電流検出用アナログ積分回路６２の出力電圧Ｖout２で除算した値に相当する電圧Ｖdivを出力する。従って、アナログ除算回路７０の出力電圧Ｖdivは、測定対象抵抗Ａの抵抗値に相当する、つまり、測定対象抵抗Ａの抵抗値と対応関係を有するものとなる。
【００３７】
アナログ除算回路７０の出力電圧は、アナログ積分回路６１，６２が完全な積分を行い、かつ、アナログ除算回路７０が完全な除算を行えば、図６（ｃ）に示すように一定となるが、実際には、そのようにはいかないためコンデンサ２２に溜まった電荷の放電が開始された時点では変動する。そこで、アナログ除算回路７０の出力電圧Ｖdivをホールド回路８０に入力し、最も適切な出力電圧が得られるタイミングでアナログ除算回路７０の出力電圧をホールドする。このタイミングは、放電回路２０におけるコンデンサ２２の放電が完了するタイミングに設定される。よって、ホールド回路８０の出力電圧は、図６（ｄ）に示すようになる。
【００３８】
ホールド回路８０は、図５に示すように、直列に接続される２つのオペアンプ８１，８２と、両オペアンプ８１，８２の間に設けられる充電用スイッチ８３と、オペアンプ８１の出力により充電されるコンデンサ８４とから構成される。コンデンサ８４の両極は、アナログ積分回路６１，６２と同様にノーマルクローズスイッチで構成される放電スイッチ８６が備えられる。これにより、抵抗測定開始時においては、常に、コンデンサ８４の蓄電量がゼロとなる状態に設定される。
【００３９】
充電用スイッチ８３は、ホールド制御回路９０に接続される。ホールド制御回路９０は、ホールド制御スイッチ９１、第２遅延回路９２、第３遅延回路９３を備えている。第２遅延回路９２は、操作スイッチ４１がオン操作されてから第２設定時間経過後に信号を出力するように構成され、第３遅延回路９３は、操作スイッチ４１がオン操作されてから第３設定時間経過後に信号を出力するように構成されている。第２設定時間は、第１設定時間に対してコンデンサ２２が放電回路２０に放電し終わるのに必要な時間（例えば、１ミリ秒）だけ長く設定されている。第３設定時間は、第２設定時間に対して、ホールド回路８０のコンデンサ８４をオペアンプ８１の出力電圧にまで充電するのに必要な時間だけ長く設定されている。
【００４０】
ホールド回路８０内の充電用スイッチ８３は、信号を入力している間のみ接点を閉じるノーマルオープンスイッチで、その信号をホールド制御スイッチ９１を介して第２遅延回路９２から入力するように構成されている。また、ホールド制御スイッチ９１は、信号を入力している間のみ接点を開くノーマルクローズスイッチであり、その信号を第３遅延回路９３から入力するように構成されている。従って、ホールド回路８０は、放電回路２０のコンデンサ２２が放電し終わったタイミングで充電用スイッチ８３がオンしてアナログ除算回路７０の出力電圧Ｖdivによりコンデンサ８４を充電し、コンデンサ８４がオペアンプ８１の出力電圧にまで充電されたタイミングで充電用スイッチ８３がオフする。これにより、ホールド回路８０は、適切なタイミングでアナログ除算回路７０の出力電圧ｖdivをホールドし、そのホールドした電圧Ｖholdを出力する。
【００４１】
ホールド回路８０の出力端子８５は、抵抗測定装置１０のケーシング（図示略）に露出して設けられ、この出力端子８５に電圧計１００の信号入力ケーブルが着脱可能に接続される。電圧計１００により測定される電圧は、測定対象抵抗Ａの抵抗値に相当する値（測定対象抵抗Ａの抵抗値と対応関係を有する値）をとる。例えば、測定対象抵抗Ａの抵抗値Ｒｘと測定電圧値（ホールド回路８０の出力電圧Ｖhold）とは、図７に示すような相関関係を有する。従って、この電圧測定により、測定対象抵抗Ａの抵抗値Ｒｘを算出することができる。
【００４２】
ここで、本実施形態の抵抗測定装置１０の全体的な作動について説明する。まず、測定者は、図２に示すように、測定対象となる導電バーＢ１，Ｂ２の連結部Ａの両端にプローブＰ１，Ｐ２，Ｐ３，Ｐ４を取り付ける。プローブＰ３，Ｐ４は、測定対象抵抗Ａに電流を流すために使用され、プローブＰ１，Ｐ２は、測定対象抵抗Ａの両端の電位差を取り出すために使用される。続いて、操作スイッチ４１をオンする。これにより、充電用電源３１によるコンデンサ２２への充電が開始される。また、同時に、放電スイッチ６６，８６がオフになり、アナログ積分回路６１，６２のコンデンサ６５およびホールド回路８０のコンデンサ８４が蓄電可能状態となる。
【００４３】
そして、操作スイッチ４１のオン操作から第１設定時間が経過すると、充電路スイッチ３２がオフするとともに放電路スイッチ２３がオンする。これにより、コンデンサ２２への充電が終了し、コンデンサ２２に充電された電荷による放電回路２０への通電が開始される。こうして、測定対象抵抗Ａおよび標準抵抗２１の両端に電位差が発生する。測定対象抵抗Ａの両端電圧および標準抵抗２１の両端電圧は、それぞれ電圧検出用アナログ積分回路６１および電流検出用アナログ積分回路６２に入力され時間で積分される。アナログ積分回路６１，６２の出力電圧Ｖout１，Ｖout２は、アナログ除算回路７０に入力される。アナログ除算回路７０は、出力電圧Ｖout１を出力電圧Ｖout２で除算した値（測定対象抵抗Ａの抵抗値と対応関係を有する値）に相当する電圧Ｖdivを出力する。
【００４４】
そして、ホールド回路８０は、第２設定時間により設定されるコンデンサ２２の放電が終了したタイミングで、アナログ除算回路７０の出力により内部のコンデンサ８４を充電し、コンデンサ８４がオペアンプ８１の出力電圧と平衡状態となる第３設定時間が経過したタイミングでコンデンサ８４の電圧をホールドする。これにより、ホールド回路８０は、アナログ除算回路７０の出力電圧を適切なタイミングでホールドして、そのホールド電圧Ｖholdを出力端子８５に出力する。
【００４５】
測定者は、測定開始前にホールド回路８０の出力端子８５に電圧計１００の信号入力ケーブルを接続しておく。そして、操作スイッチ４１をオン操作したのち第３設定時間の経過後の電圧計１００にて表される電圧を測定する。尚、第３設定時間は、数ミリ秒といった非常に短い時間であるため、測定者は、実質的に待つ必要はない。測定者は、この測定された電圧から、図７に示すような換算表を参照して測定対象抵抗Ａの抵抗値Ｒｘを求めることができる。尚、人が抵抗値Ｒｘを求めるのではなく、測定された電圧から測定対象抵抗Ａの抵抗値Ｒｘを計算し、その計算値（抵抗値Ｒｘ）を表示する計算機（コンピュータ等）を設けてもよい。
【００４６】
測定者は、抵抗測定が終了したら、操作スイッチ４１をオフにする。これにより、スイッチ２３，３２，４２，９１の状態が初期状態（図１に示す状態）に戻り、アナログ積分回路６１，６２とホールド回路８０の放電スイッチ６６，８６がオフになる。従って、アナログ積分回路６１，６２のコンデンサ６５およびホールド回路８０のコンデンサ８４に充電された電荷が放電され、電圧計１００の示す測定電圧もゼロとなる。
【００４７】
以上説明した実施形態の抵抗測定装置１０によれば、コンデンサ２２に充電した電荷により測定対象抵抗Ａに通電し、その通電期間における測定対象抵抗Ａの両端電圧の積分値を、測定対象抵抗Ａに流れる電流の積分値で除算することにより測定対象抵抗Ａの抵抗値Ｒｘと対応関係のある電圧信号を出力する。このため、抵抗値の非常に小さい測定対象抵抗Ａであっても、発熱により測定対象抵抗Ａを溶解させてしまう危険性が高いといった不具合がなく、精度よく抵抗測定を行うことができる。しかも、簡単なアナログ回路にて構成しているため、低コストにて実施することができる。
【００４８】
また、ホールド回路８０，ホールド制御回路９０により適正なタイミングでアナログ除算回路の出力電圧をホールドするため、容易に抵抗測定を行うことができる。また、ホールド回路８０は、その出力端子８５を介して電圧計１００に信号を出力するため、既存の電圧計１００を接続して使用することができる。このため、抵抗測定装置１０の低コスト化およびコンパクト化を図ることができる。尚、電圧計１００を抵抗測定装置１０のケーシング内に組み込むようにしてもよい。
【００４９】
また、操作スイッチ４１の１回の操作だけで、コンデンサ２２の充電と放電、および、アナログ積分回路６１，６２とホールド回路８０のリセットといった処理を一連のシーケンスにより実行するため、効率よく抵抗測定を行うことができる。
【００５０】
尚、本実施形態の抵抗測定装置１０は、分電盤の導電バーＢ１，Ｂ２の連結状態の点検を目的として使用するため、こまかな抵抗値Ｒｘを求める必要がないケースがある。そうしたケースにおいては、ホールド回路８０の出力電圧Ｖholdと正常／異常を判定するための判定電圧とをコンパレータにより比較して、その大小関係を点検結果として出力するようにしてもよい。
【００５１】
＜第１変形例＞
次に、第１変形例について説明する。図８は、第１変形例の抵抗測定装置１１の概略回路構成を表す。第１変形例の抵抗測定装置１１は、上記実施形態の抵抗測定装置１０のホールド回路８０、ホールド制御回路９０、電圧計１００に代えて、デジタルオシロスコープ１１０を備えたものである。他の構成については、その作動も含めて実施形態と同一であるため、図面に同一の符号を付して説明を省略する。
【００５２】
この抵抗測定装置１１は、アナログ除算回路７０の出力電圧Ｖdivを出力する出力端子７５が抵抗測定装置１１のケーシングに露出して設けられ、この出力端子７５に、デジタルオシロスコープ１１０の信号入力ケーブルが着脱可能に接続される。
【００５３】
デジタルオシロスコープ１１０は、アナログ除算回路７０の出力電圧Ｖdivを入力し、その出力電圧Ｖdivをデジタル値に変換して記憶し電圧波形をディスプレイに表示する。従って、測定者は、デジタルオシロスコープ１１０に表示される波形を見ながら、適切な時間帯（コンデンサ２２が放電し終わった後のタイミング）における電圧レベルを測定すればよい。この第１変形例によれば、既存のデジタルオシロスコープ１１０を接続して測定することができる。このため、抵抗測定装置１１の低コスト化およびコンパクト化を図ることができる。尚、デジタルオシロスコープ１１０を抵抗測定装置１１のケーシング内に組み込むようにしてもよい。
【００５４】
＜第２変形例＞
次に、第２変形例について説明する。図９は、第２変形例の抵抗測定装置１２の概略回路構成を表す。第２変形例の抵抗測定装置１２は、上記実施形態の抵抗測定装置１０の電圧検出用アナログ積分回路６１、電流検出用アナログ積分回路６２、アナログ除算回路７０、ホールド回路８０、ホールド制御回路９０、電圧計１００に代えて、電圧検出用アナログ／デジタル変換器１２１、電流検出用アナログ／デジタル変換器（以下、Ａ／Ｄ変換器と呼ぶ）１２２、コンピュータ１３０、入力装置１３１、表示装置１３２を設けたものである。他の構成については、その作動も含めて実施形態と同一であるため、図面に同一の符号を付して説明を省略する。
【００５５】
この抵抗測定装置１２は、測定対象抵抗Ａの両端電圧を出力する出力端子１４１と、標準抵抗２１の両端電圧を出力する出力端子１４２とを、抵抗測定装置１２のケーシングから露出して備えている。測定者は、出力端子１４１に電圧検出用Ａ／Ｄ変換器１２１を接続し、出力端子１４２に電流検出用Ａ／Ｄ変換器１２２を接続する。各Ａ／Ｄ変換器１２１，１２２は、出力端子１４１，１４２から入力した入力電圧Ｖin１，Ｖin２を所定の短いサンプリング周期でデジタル値Ｄv1，Ｄv2に変換してコンピュータ１３０に出力するよう構成されている。
【００５６】
コンピュータ１３０は、電圧検出用Ａ／Ｄ変換器１２１から入力した測定対象抵抗Ａの両端電圧を表すデジタル値Ｄv1を積算するとともに、その積算期間と同じ期間で電流検出用Ａ／Ｄ変換器１２２から入力した標準抵抗２１の両端電圧を表すデジタル値Ｄv2を積算する。そして、コンデンサ２２の放電が終了したタイミングで、前者の積算値ΣＤv1を後者の積算値ΣＤv2で除算し、その除算値に基づいて測定対象抵抗Ａの抵抗値Ｒｘを算出する。例えば、標準抵抗２１の抵抗値をＲ０とした場合には、次式のように算出することができる。
Ｒｘ＝（ΣＤv1／ΣＤv2）×Ｒ０
尚、標準抵抗２１の抵抗値Ｒ０は、測定者が入力装置１３１を使ってコンピュータ１３０に入力設定する。
【００５７】
コンピュータ１３０は、算出した抵抗値Ｒｘを表示装置１３２に表示する。そして、測定者が入力装置１３１を使って測定終了の指令を入力すると抵抗測定処理を終了する。
【００５８】
以上説明した第２変形例の抵抗測定装置１２によれば、既存のＡ／Ｄ変換器やパソコン等のコンピュータを接続して測定することができる。このため、抵抗測定装置１２の低コスト化およびコンパクト化を図ることができる。尚、Ａ／Ｄ変換器１２１，１２２を抵抗測定装置１２内に内蔵し、Ａ／Ｄ変換器１２１，１２２の出力端子を抵抗測定装置１２のケーシングに露出して設け、コンピュータ１３０をＡ／Ｄ変換器１２１，１２２の出力端子に接続するようにしてもよい。また、Ａ／Ｄ変換器１２１，１２２、コンピュータ１３０、入力装置１３１、表示装置１３２を抵抗測定装置１２に内蔵するようにしてもよい。
【００５９】
以上、本発明の実施形態および変形例について説明したが、本発明の実施にあたっては、上記実施形態や変形例に限定されるものではなく、本発明の目的を逸脱しない限りにおいて種々の変形も可能である。
【００６０】
例えば、上記実施形態および変形例においては、操作スイッチ４１の１回のオン操作だけで、測定対象抵抗Ａの抵抗値Ｒｘあるいは抵抗値Ｒｘに相当する電圧を取得できる構成であるが、作業性を重視しなければ、コンデンサ２２の充電用のスイッチ、コンデンサ２２の放電用のスイッチ、アナログ積分回路６１，６２やホールド回路８０をリセットするスイッチ、ホールド回路８０のホールド開始を指示するスイッチをそれぞれ設け、測定者がスイッチを一つ一つ操作するようにしてもよい。
【００６１】
また、上記実施形態では、アナログ除算回路７０の出力電圧Ｖdivをホールド回路８０にてホールドして電圧測定する構成であるが、おおよその抵抗値を測定できればよい場合には、ホールド回路８０を設けずにアナログ除算回路７０の出力電圧をそのまま電圧計１００にて測定するようにしてもよい。
【００６２】
また、上記実施形態および変形例においては、分電盤の導電バーＢ１，Ｂ２の連結部Ａを測定対象抵抗としているが、導体同士を接触させた接触部の接触抵抗を測定するものであれば、測定対象はこれに限るものではない。例えば、開閉器、遮断器、断路器などの開閉機器の接触子を測定対象抵抗とするものであってもよい。
【符号の説明】
【００６３】
１０，１１，１２…抵抗測定装置、２０…放電回路、２１…標準抵抗、２２…コンデンサ、２３…放電路スイッチ、３０…充電回路、３１…充電用電源、３２…充電路スイッチ、４０…主電源、４１…操作スイッチ、４２…充電終了用スイッチ、５１…第１遅延回路、６１…電圧検出用アナログ積分回路、６２…電流検出用アナログ積分回路、７０…アナログ除算回路、８０…ホールド回路、７５，８５，１４１，１４２…出力端子、９０…ホールド制御回路、９１…ホールド制御スイッチ、９２…第２遅延回路、９３…第３遅延回路、１００…電圧計、１１０…デジタルオシロスコープ、１２１，１２２…Ａ／Ｄ変換器、１３０…コンピュータ、Ａ…測定対象抵抗（連結部）、Ｂ１，Ｂ２…導電バー、Ｐ１，Ｐ２，Ｐ３，Ｐ４…プローブ。
【図１】
2010164358.tif 000003
【図２】
2010164358.tif 000004
【図３】
2010164358.tif 000005
【図４】
2010164358.tif 000006
【図５】
2010164358.tif 000007
【図６】
2010164358.tif 000008
【図７】
2010164358.tif 000009
【図８】
2010164358.tif 000010
【図９】
2010164358.tif 000011